【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ビームフォーミングされたワイヤレス通信におけるキャリアアグリゲーションのための方法であって、
複数のコンポーネントキャリアが1つまたは複数のグループに区分化されることを示すコンポーネントキャリアグルーピング表示をユーザ機器(UE)において基地局から受信するステップであって、前記1つまたは複数のグループのうちの少なくとも1つは、複数のコンポーネントキャリアを含み、各コンポーネントキャリアが同じ送信ビームを使用するグループ内にあり、前記コンポーネントキャリアグルーピング表示がさらに、前記1つまたは複数のグループのうちの少なくとも1つに対するグループ識別子を対応する前記送信ビームを識別するビーム識別子にマッピングする、ステップと、
前記1つまたは複数のグループのうちの少なくとも1つに対応する前記送信ビームのうちの1つを使用して前記1つまたは複数のグループのうちの前記少なくとも1つの上でUE通信に関連する前記基地局から1つまたは複数の送信を受信するステップとを含む、方法。
【請求項２】
前記複数のコンポーネントキャリアの前記区分化に対する1つまたは複数のUE制約を示すキャリアグルーピング機能表示を、前記基地局に送信するステップをさらに含む、請求項1に記載の方法。
【請求項３】
前記UEと近隣基地局との間のキャリアグルーピングを使用するために、前記近隣基地局と交渉するステップをさらに含む、請求項1に記載の方法。
【請求項４】
前記近隣基地局との交渉の前にコンポーネントキャリアごとの測定報告を前記近隣基地局に送信するステップと、
前記近隣基地局との交渉の後にグループごとの測定報告を前記近隣基地局に送信するステップとをさらに含む、請求項3に記載の方法。
【請求項５】
1つまたは複数の送信を受信するステップが、1つまたは複数のキャリア測定報告の要求を前記基地局から受信するステップを含み、前記要求が、前記UEがコンポーネントキャリアごとに1つまたは複数の報告を与えるべきか、グループごとに1つまたは複数の報告を与えるべきか、またはそれらの組合せであるべきかを示す、請求項1に記載の方法。
【請求項６】
1つまたは複数のコンポーネントキャリア測定報告の前記要求がさらに、少なくとも1つのグループのコンポーネントキャリアに対する前記1つまたは複数のコンポーネントキャリア測定報告が単一のそれぞれのコンポーネントキャリア上で送信されるべきであることを示す、請求項5に記載の方法。
【請求項７】
各グループのコンポーネントキャリア測定を表す1つまたは複数のコンポーネントキャリア測定報告を前記基地局に送信するステップをさらに含む、請求項1に記載の方法。
【請求項８】
前記1つまたは複数のコンポーネントキャリア測定報告が、各グループ内のコンポーネントキャリアに対してキャリアごとに1つまたは複数の報告を含む、請求項7に記載の方法。
【請求項９】
前記1つまたは複数のコンポーネントキャリア測定報告が、各グループ内のすべてのコンポーネントキャリアに対してグループごとに1つまたは複数の報告を含む、請求項7に記載の方法。
【請求項１０】
単一のそれぞれのコンポーネントキャリア上で少なくとも1つのグループのコンポーネントキャリアに対する前記1つまたは複数のコンポーネントキャリア測定報告を送信するステップをさらに含む、請求項7に記載の方法。
【請求項１１】
1つまたは複数の送信を受信するステップが、前記1つまたは複数のグループのうちの1つの中の1つまたは複数のコンポーネントキャリア上で前記UEを同時にスケジュールするために前記UEに対する単一のスケジューリング許可を前記複数のコンポーネントキャリアのうちの1つのコンポーネントキャリア上で受信するステップを含む、請求項1に記載の方法。
【請求項１２】
ビームフォーミングされたワイヤレス通信におけるキャリアアグリゲーションのための方法であって、
複数のコンポーネントキャリアを1つまたは複数のグループに区分化するステップであって、前記1つまたは複数のグループのうちの少なくとも1つは、複数のコンポーネントキャリアを含み、各コンポーネントキャリアが同じ送信ビームを使用するグループ内にある、ステップと、
コンポーネントキャリアグルーピング表示をユーザ機器(UE)に送信するステップであって、前記コンポーネントキャリアグルーピング表示が、前記複数のコンポーネントキャリアの前記1つまたは複数のグループへの前記区分化を識別するとともに前記1つまたは複数のグループのうちの少なくとも1つに対するグループ識別子を、対応する前記送信ビームを識別するビーム識別子にマッピングする、ステップと
を含む、方法。
【請求項１３】
ビームフォーミングされたワイヤレス通信におけるキャリアアグリゲーションのための装置であって、
プロセッサと、
前記プロセッサと電子通信しているメモリとを備え、
前記プロセッサおよび前記メモリが、
複数のコンポーネントキャリアが1つまたは複数のグループに区分化されることを示すコンポーネントキャリアグルーピング表示をユーザ機器(UE)において基地局から受信することであって、前記1つまたは複数のグループのうちの少なくとも1つは、複数のコンポーネントキャリアを含み、各コンポーネントキャリアが同じ送信ビームを使用するグループ内にあり、前記コンポーネントキャリアグルーピング表示がさらに、前記1つまたは複数のグループのうちの少なくとも1つに対するグループ識別子を対応する前記送信ビームを識別するビーム識別子にマッピングする、受信することと、
前記1つまたは複数のグループのうちの少なくとも1つに対応する前記送信ビームのうちの1つを使用して前記1つまたは複数のグループのうちの前記少なくとも1つの上でUE通信に関連する前記基地局から1つまたは複数の送信を受信することとを行うように構成される、装置。
【請求項１４】
ビームフォーミングされたワイヤレス通信におけるキャリアアグリゲーションのための装置であって、
プロセッサと、
前記プロセッサと電子通信しているメモリとを備え、
前記プロセッサおよび前記メモリが、
複数のコンポーネントキャリアを1つまたは複数のグループに区分化することであって、前記1つまたは複数のグループのうちの少なくとも1つは、複数のコンポーネントキャリアを含み、各コンポーネントキャリアが同じ送信ビームを使用するグループ内にある、区分化することと、
コンポーネントキャリアグルーピング表示をユーザ機器(UE)に送信することであって、前記コンポーネントキャリアグルーピング表示が、前記複数のコンポーネントキャリアの前記1つまたは複数のグループへの前記区分化を識別するとともに前記1つまたは複数のグループのうちの少なくとも1つに対するグループ識別子を、対応する前記送信ビームを識別するビーム識別子にマッピングする、送信することと
を行うように構成される、装置。
【請求項１５】
フォーミングされたワイヤレス通信におけるキャリアアグリゲーションのための装置であって、
複数のコンポーネントキャリアが1つまたは複数のグループに区分化されることを示すコンポーネントキャリアグルーピング表示をユーザ機器(UE)において基地局から受信するための手段であって、前記1つまたは複数のグループのうちの少なくとも1つは、複数のコンポーネントキャリアを含み、各コンポーネントキャリアが同じ送信ビームを使用するグループ内にあり、前記コンポーネントキャリアグルーピング表示がさらに、前記1つまたは複数のグループのうちの少なくとも1つに対するグループ識別子を対応する前記送信ビームを識別するビーム識別子にマッピングする、手段と、
前記1つまたは複数のグループのうちの少なくとも1つに対応する前記送信ビームのうちの1つを使用して前記1つまたは複数のグループのうちの前記少なくとも1つの上でUE通信に関連する前記基地局から1つまたは複数の送信を受信するための手段とを含む、装置。
【請求項１６】
ビームフォーミングされたワイヤレス通信におけるキャリアアグリゲーションのための装置であって、
複数のコンポーネントキャリアを1つまたは複数のグループに区分化するための手段であって、前記1つまたは複数のグループのうちの少なくとも1つは、複数のコンポーネントキャリアを含み、各コンポーネントキャリアが同じ送信ビームを使用するグループ内にある、手段と、
コンポーネントキャリアグルーピング表示をユーザ機器(UE)に送信するための手段であって、前記コンポーネントキャリアグルーピング表示が、前記複数のコンポーネントキャリアの前記1つまたは複数のグループへの前記区分化を識別するとともに前記1つまたは複数のグループのうちの少なくとも1つに対するグループ識別子を、対応する前記送信ビームを識別するビーム識別子にマッピングする、送信するための手段とを含む、装置。